(57)【特許請求の範囲】
【請求項１】
腰ベルトに装着して使用される腰袋であって、上部が開口された袋状の本体と、該本体内に薄板状の工具を前後２枚の補強板ではさんで収容するホルダとを備えており、当該ホルダを構成する２枚の補強板の下部は、本体の底よりも上方に所定間隔離れていて、当該補強板の下部は、上記薄板状の工具を、その角が腰袋の底に突き当たらないように浮かした状態で保持すべく、複数個のリベットにて締結されていることを特徴とする腰袋。
【請求項２】
腰ベルトへの装着のための一対の一定幅のベルト通しを備えているとともに、当該一対のベルト通しがハ字状または逆ハ字状に配置されている請求項１記載の腰袋。
【発明の詳細な説明】
【０００１】
【発明の属する技術分野】
本発明は、たとえば住宅などの建築物の、内装工事の際にスクレーパ、ローラ、はけ、カッターナイフ、はさみなどの工具類を収容した状態で、腰ベルトに装着して使用される腰袋に関するものである。
【０００２】
【従来の技術】
住宅などの建築物の内装工事、すなわち壁や天井などに壁紙を貼る作業の際に、作業者は、スクレーパ（または地べら）と呼ばれる金属製で薄板状の工具や、ローラ、はけ、カッターナイフ、はさみなどの、作業に必要な工具類の多くを、腰ベルトに装着した、その全体が厚手の布地などで形成された腰袋に収容するのが一般的である。このようにすると両手があいて、しかも必要な工具をすぐに手にとることができるために作業がしやすい上、移動の際などにも便利である。
【０００３】
腰袋に収容される工具類のうちスクレーパは、
・  下地に塗布した接着剤を薄く引き展ばす、
・  下地上に貼りつけた壁紙を上からなでつけて、下地と壁紙との間に残った空気を除去する、
・  下地や壁紙に鉛筆などで直線を引く際の、あるいは壁紙をカッターナイフで切る際の定規として使う、
といったように多くの用途に便利に使用できるため、内装工事の作業者の、必需品の１つである。
【０００４】
【発明が解決しようとする課題】
スクレーパは、上記各種作業の際に、より広い面積、より長い距離を一度に処理できるようにするために、その幅ができるだけ広いことが求められる。
しかし腰袋は、腰に装着した状態での作業のしやすさや、移動の際のじゃまにならないことなどを考慮すると、スクレーパのように幅を広げることができない。
【０００５】
このため通常は、たとえば図５に示すように、腰袋９１よりも幅の広いスクレーパ３を、当該腰袋９１に、斜めにして収容するのが一般的である。
ところが、このような状態で腰袋９１を繰り返して使用すると、やがてスクレーパ３の角３１によって腰袋９１の底９１ａに穴があき、そこから上記角３１が突出して危ないという問題があった。
【０００６】
また従来の腰袋９１は、同図ならびに図３(c)に示すように互いにほぼ平行な一対のベルト通し９１ｂ、９１ｂに腰ベルト４を通すことで装着される。
しかし、たとえば腰袋９１に工具類をいっぱいに収容した状態で、作業者がバランスを崩すなどして腰ベルト４が大きく傾斜すると、当該腰ベルト４上を、腰袋９１が急速に移動してより一層、作業者のバランスを崩したり、あるいは収容した工具類が飛び出したりするおそれがあった。またこのような移動を繰り返すと、ベルト通し９１ｂ、９１ｂが腰ベルト４によって擦られることで磨耗して切れやすくなるという問題もあった。
【０００７】
本発明の目的は、従来に比べてより安全性の高い腰袋を提供することにある。
【０００８】
【課題を解決するための手段】
上記課題を解決するための、請求項１記載の発明の腰袋は、腰ベルトに装着して使用される腰袋であって、上部が開口された袋状の本体と、該本体内に薄板状の工具を前後２枚の補強板ではさんで収容するホルダとを備えており、当該ホルダを構成する２枚の補強板の下部は、本体の底よりも上方に所定間隔離れていて、当該補強板の下部は、上記薄板状の工具を、その角が腰袋の底に突き当たらないように浮かした状態で保持すべく、複数個のリベットにて締結されていることを特徴とするものである。
【０００９】
また請求項２記載の発明の腰袋は、腰ベルトへの装着のための一対の一定幅のベルト通しを備えているとともに、当該一対のベルト通しがハ字状または逆ハ字状に配置されていることを特徴とするものである。
請求項１記載の発明によれば、スクレーパなどの薄板状の工具を、ホルダにたとえば斜めに収容したとしても、当該工具は、ホルダを構成する２枚の補強板の下部を締結した複数個のリベットによって、その角が腰袋の底に突き当たらないように浮かした状態で保持されるため、腰袋の底に穴があいて工具の角が突出することが防止される。
【００１０】
また請求項２記載の発明によれば、ハ字状または逆ハ字状に配置された一対のベルト通しが、腰ベルトへの装着時に、それぞれの傾斜に基づいて腰ベルトに対して互いに逆方向の力を生じるとともに、それぞれのベルト通しの一方の縁部が、やはりその傾斜に基づいて、腰ベルトに対して局所的に大きな力で接触するために、腰ベルトが多少、傾斜しても腰袋が腰ベルト上を急速に移動し、それによって作業者が大きくバランスを崩したり、収容した工具類が飛び出したり、あるいはベルト通しが磨耗して切れやすくなったりすることが防止される。
【００１１】
したがって本発明によれば、従来に比べてより安全性の高い腰袋を提供することが可能となる。
【００１２】
【発明の実施の形態】
以下に本発明を、実施の形態の一例を示す図面を参照しつつ説明する。
まず請求項１記載の発明の腰袋について、その一例を示す図１(a)(b)、および図２(a)〜(c)に基づいて説明する。
これらの図にみるようにこの例の腰袋１は、従来同様にその全体が厚手の布地などで形成された、上部が開口された袋状の本体１０を備えるとともに、当該本体１０内に、スクレーパ３を収容するためのホルダ１１を形成したものである。
【００１３】
ホルダ１１は、本体１０の背板１０ｂを兼ねるべく、当該本体１０の背部内に縫い込まれた、プラスチック板などの板材からなる第１の補強板Ｐ１と、本体１０内に、当該第１の補強板Ｐ１と所定間隔、離して配置された、同じくプラスチック板などの板材からなる第２の補強板Ｐ２とを備えているとともに、両補強板Ｐ１、Ｐ２の下部を、複数個（図では５個）のリベットＲ１…にて締結することで形成されている。
【００１４】
なお図ではリベットＲ１を、図示の便宜上、少し長めに描いたが、実際にはもっと短いリベットＲ１によって、２枚の補強板Ｐ１、Ｐ２の下部が互いに接するように締結されていてもよい。
上記のうち第２の補強板Ｐ２は、本体１０の背部の両側縁部から本体１０内へ延設された布製の袋体内に縫いこまれて、上記のように第１の補強板Ｐ１と所定間隔、離して配置されており、なおかつ上記袋体の、補強板Ｐ２の両側の、本体１０の背部との間の部分が、それぞれホルダ１１の側部１１ａ、１１ａとされている。
【００１５】
またリベットＲ１…は、各図に示すように、本体１０の底１０ａよりも上方に所定間隔、離した位置で、第１および第２の補強板Ｐ１、Ｐ２の下部を締結している。
そしてこのことによって、図中に二点鎖線で示すように、ホルダ１１内に収容されたスクレーパ３の角３１が、本体１０の底１０ａに突き当たらないように浮かした状態で保持されるために、上記底１０ａに穴があいて角３１が突出することが防止され、安全性が向上する。
【００１６】
また、かかるホルダ１１は、上記のようにスクレーパ３を、前後２枚の補強板Ｐ１、Ｐ２ではさんで、立てた状態で収容できるため、当該スクレーパ３の取出しや収容などの作業性もよい。
なお本体１０内の、ホルダ１１外の領域は、スクレーパ３以外の大型の工具類、たとえば定規やはけなどを収容するために利用される。
【００１７】
本体１０の外部背面には、腰袋１を腰ベルトに装着すべく、当該腰ベルトが挿通される一対のベルト通し１２、１２が、この例の場合はハ字状に配置されている。
このように、一対のベルト通し１２、１２をハ字状に配置した場合には、たとえば図３(a)に示すように腰ベルト４への装着時に、腰袋１自体の重みに工具類の重みなどが加わることで、両ベルト通し１２、１２に、図中白矢印で示すように互いに外方へ広がろうとする逆方向の、しかもほぼ等しい力が加わるために、また、これも上記傾斜に基づいて、それぞれのベルト通し１２、１２の内側の縁部１２ａ、１２ａが、腰ベルト４に対して局所的に大きな力で接触するために、腰ベルト４が多少傾斜しても、腰袋１が当該腰ベルト４上を急速に移動することが防止される。
【００１８】
このため、作業者が大きくバランスを崩したり、収容した工具類が飛び出したり、あるいはベルト通しが磨耗して切れやすくなったりすることが防止されて、安全性がさらに向上する。
なお一対のベルト通し１２、１２は、図３(b)に示すように逆ハ字状に配置してもよい。
【００１９】
この場合には、腰ベルト４への装着時に、腰袋１自体の重みに工具類の重みなどが加わることで、両ベルト通し１２、１２に、図中白矢印で示すように互いに内方へ寄ろうとする逆方向の、しかもほぼ等しい力が加わるために、また、これも上記傾斜に基づいて、それぞれのベルト通し１２、１２の外側の縁部１２ｂ、１２ｂが、腰ベルト４に対して局所的に大きな力で接触するために、やはり腰ベルト４が多少傾斜しても、腰袋１が当該腰ベルト４上を急速に移動することが防止されて、安全性が確保される。
【００２０】
本体１０の外部両側面には、はさみやローラなどの縦長の工具類を収容するための、布製のポケット１３、１３が配置されている。このように本体１０の外部両側面にそれぞれ、同じポケット１３、１３を配置した場合には、作業者の利き手や使い勝手などに柔軟に対応できて作業性が向上するという利点がある。
また本体１０の前面には、中型のへらなどを収容するための布製のポケット１４が配置されているとともに、このポケット１４のさらに前面には、カッターナイフ、鉛筆などの小物を収容するための、やはり布製のポケット１５、１６が配置されている。
【００２１】
上記例の腰袋１は、従来同様に腰ベルト４に装着し、かつ本体１０内、ホルダ１１内、および各ポケット１３〜１６内にそれぞれ工具類を収容して、建築物の内装作業などに使用される。
【００２２】
つぎに、請求項２記載の発明の腰袋について、その一例を示す図４に基づき説明する。
図の例の腰袋２は、やはり従来同様に、その全体が厚手の布地などで形成された、上部が開口された袋状の本体２０を備えるとともに、当該本体２０の外部背面に、腰袋２を腰ベルトに装着すべく、当該腰ベルトが挿通される一対のベルト通し２２、２２を、図中実線で示すようにハ字状に、あるいは二点鎖線で示すように逆ハ字状に配置したものである。
【００２３】
このように、一対のベルト通し２２、２２をハ字状または逆ハ字状に配置した場合には、前記図３(a)(b)に示すように腰ベルトへの装着時に、腰袋２自体の重みに工具類の重みなどが加わることで、両ベルト通し２２、２２に互いに外方へ広がろうとする（逆ハ字状の際は内方へ寄ろうとする）逆方向の、しかもほぼ等しい力が加わるために、また、これも上記傾斜に基づいて、それぞれのベルト通し２２、２２の内側（逆ハ字状の場合は外側）の縁部が、腰ベルトに対して局所的に大きな力で接触するために、腰ベルトが多少傾斜しても、腰袋２が当該腰ベルト上を急速に移動することが防止される。
【００２４】
このため、作業者が大きくバランスを崩したり、収容した工具類が飛び出したり、あるいはベルト通しが磨耗して切れやすくなったりすることが防止されて、安全性が向上する。
腰袋２の本体２０は、スクレーパやはけ、定規などの大型の工具類を、一括して収容するために、従来同様に単なる袋状に形成される。
【００２５】
本体２０の外部両側面には、作業性を向上することを考慮して、先の例と同様に、はさみやローラなどの縦長の工具類を収容するための、布製のポケット２３、２３が配置されている。
【００２６】
また本体２０の前面には、やはり先の例と同様に、中型のへらなどを収容するための布製のポケット２４が配置されているとともに、このポケット２４のさらに前面には、カッターナイフ、鉛筆などの小物を収容するための、やはり布製のポケット２５、２６が配置されている。
上記例の腰袋２は、これも先の例と同じく、従来同様に腰ベルト４に装着し、かつ本体２０内、および各ポケット２３〜２６内にそれぞれ工具類を収容して、建築物の内装作業などに使用される。
【００２７】
なお本発明の腰袋の構成は、上記２つの例には限定されず、本発明の要旨を変更しない範囲で適宜、設計変更を施すことができる。また本発明の腰袋の用途は、以上で説明した建築物の内装工事用には限定されず、たとえば薄板状で大型の工具を使用する種々の作業に利用することができ、そのいずれの場合にも安全性が高いという利点を有する。
【００２８】
【発明の効果】
以上詳述したように本発明によれば、従来に比べてより安全性の高い腰袋を提供できるという、特有の作用効果を奏する。
【図面の簡単な説明】
【図１】本発明の腰袋の、実施の形態の一例を示す図であって、同図(a)は背面図、同図(b)は同図(a)のＢ−Ｂ線断面図である。
【図２】上記例の腰袋の、他の面を示す図であって、同図(a)は正面図、同図(b)は左側面図、同図(c)は平面図である。
【図３】同図(a)は、上記例、ならびに図４の例の腰袋の、ベルト通しの部分を拡大した背面図、同図(b)はベルト通しの変形例を拡大した背面図、同図(c)は従来例を拡大した背面図である。
【図４】本発明の腰袋の、実施の形態の他の例を示す図であって、同図(a)は背面図、同図(b)は正面図である。
【図５】従来の腰袋の一例を示す背面図である。
【符号の説明】
１、２  腰袋
Ｐ１、Ｐ２  補強板
Ｒ１  リベット
１０ａ  底
１１  ホルダ
１２、１２、２２、２２  ベルト通し
３  スクレーパ（薄板状の工具）
３１  角
４  腰ベルト
【図１】
0004372887.tif 000002
【図２】
0004372887.tif 000003
【図３】
0004372887.tif 000004
【図４】
0004372887.tif 000005
【図５】
0004372887.tif 000006